(57)【要約】      （修正有）【課題】使用者の生理及び身体の状態に応じた制御が可能な大人のおもちゃのスマート無線制御装置を提供する。【解決手段】使用者が装着するスマート健康測定装置１により使用者の生理及び身体データの測定及び収集を行い、スマート制御装置２に伝送させ、生理データを判読して分析を行い、演算を行って対応する計画的制御を完成させ、且つ無線伝送により大人のおもちゃ３に異なる強度リズムの動作または発光及び音を発生させる。【選択図】図１
0003211698.tif 000002
【実用新案登録請求の範囲】
【請求項１】
スマート健康測定装置、スマート制御装置及び大人のおもちゃ装置の組み合わせで構成される大人のおもちゃのスマート無線制御装置であって、前記スマート健康測定装置は使用者に装着されると、使用者の身体のデータ及び生理データの測定及び収集を行い、前記スマート制御装置は前記スマート健康測定装置に内設され、前記スマート健康測定装置により収集された生理データを測定し判読して分析、演算を行って対応する計画的制御を完成させ、且つ無線伝送方式により前記大人のおもちゃ装置に内設される前記スマート制御装置が異なるリズム強度の動作を発生させることを特徴とする大人のおもちゃのスマート無線制御装置。
【請求項２】
前記スマート制御装置は無線伝送方式によりスマート健康測定装置に接続されるスマート処理装置であることを特徴とする請求項１に記載の大人のおもちゃのスマート無線制御装置。
【請求項３】
前記スマート制御装置はアプリケーションプログラムの入力及び更新に使用されることを特徴とする請求項１に記載の大人のおもちゃのスマート無線制御装置。
【請求項４】
スマート健康測定装置及びスマート制御装置の組み合わせで構成される大人のおもちゃのスマート無線制御装置であって、前記スマート健康測定装置は使用者に装着されると使用者の身体のデータ及び生理データの測定及び収集を行い、前記スマート制御装置は前記スマート健康測定装置に内設され、前記スマート健康測定装置により収集された生理データを測定し判読して分析、演算を行って対応する計画的制御を完成させ、且つ異なる発光及び音が出力されるように調節させ、パートナーが対応させて行為を行うように促すことを特徴とする大人のおもちゃのスマート無線制御装置。
【請求項５】
前記スマート制御装置は無線伝送方式でスマート健康測定装置に接続されるスマート処理装置であることを特徴とする、請求項４に記載の大人のおもちゃのスマート無線制御装置。
【請求項６】
前記スマート制御装置はアプリケーションプログラムの入力及び更新に使用されることを特徴とする、請求項４に記載の大人のおもちゃのスマート無線制御装置。
【考案の詳細な説明】
【技術分野】
【０００１】
本考案は、大人のおもちゃのスマート無線制御装置に関し、より詳しくは、大人のおもちゃ及びパートナーとの間で、自然で精確な性的オーガズムの発生率を高め、研究設計を加える。先ず、使用者が装着するスマート健康測定装置により使用者の生理及び身体データの測定及び収集を行い、その後スマート制御装置に伝送させ、生理データを判読して分析、演算を行って対応する計画的制御を完成させ、且つ無線伝送により大人のおもちゃに異なるリズム強度の動作または光及び音を発生させて、パートナーが対応させて行為を行うように促し、使用者の興奮を高め、同時に人体の知覚及び身体の快楽が生理及び身体の状態を変化させ、その後、使用者が装着するスマート健康測定装置により反復して身体のデータ及び整理データの測定及び収集を行い、スマート制御装置に伝送させて判読させて分析、演算を行って後続の対応する計画及び制御の変更や調節を実行し、大人のおもちゃ及びパートナーとの間での性生活の楽しみを高める考案に関する。
【背景技術】
【０００２】
現在の大人のおもちゃ及びパートナーとの間で使用するアダルトグッズは、使用時に使用者やパートナーの生理及び身体データを測定して把握することができず、判読して分析、演算を行って計画を立て、時間の動作や音を発生させ、変更させることでパートナーの行為を促すことができず、使用時に自然で精確に性的オーガズムを発生させることが難しかった。そこで、本考案者は上記の欠点が改善可能と考え、鋭意検討を重ねた結果、合理的設計で上記の課題を効果的に改善する本考案の提案に到った。
【考案の概要】
【考案が解決しようとする課題】
【０００３】
本考案は、大人のおもちゃのスマート無線制御装置を提供することを目的とする。
【課題を解決するための手段】
【０００４】
上記目的を達成するため、本考案に係る大人のおもちゃのスマート無線制御装置の特徴は、先ず使用者が装着するスマート健康測定装置により使用者の生理及び身体データを測定及び収集した後、スマート制御装置に伝送させ、生理データを判読して分析、演算を行って対応する計画的制御を完成させ、且つ無線伝送により大人のおもちゃに異なるリズム強度の動作を発生させ、使用者を興奮させる。同時に、人体の知覚及び身体の快楽により生理及び身体の状態が変化すると、使用者が装着するスマート健康測定装置により生理及び身体データを反復して測定及び収集し、スマート制御装置に伝送して判読して分析、演算を行って後続の対応する計画的制御を調節または停止させる。こうして大人のおもちゃによる快感を高め、オーガズムの発生率を向上させる。
【０００５】
すなわち、使用者が装着するスマート健康測定装置により使用者の生理及び身体データの測定及び収集を行った後、スマート制御装置に伝送させ、生理データを判読して分析、演算を行って対応する計画的制御を完成させ、且つ無線伝送により光及び音を発生させることでパートナーが対応させて行為を行うように促し、使用者を興奮させる。同時に、人体の知覚及び身体の快楽により生理及び身体の状態が変化すると、使用者が装着するスマート健康測定装置により生理及び身体データを反復して測定及び収集し、スマート制御装置に伝送させて判読して分析、演算を行い、後続の対応する計画的制御を調節または停止させる。これにより、パートナーとの間で性生活の楽しみを高め、オーガズムの発生率を向上させる。
【考案の効果】
【０００６】
本考案は、大人のおもちゃ及びパートナーとの間での性生活の楽しみを高めることができる。
【図面の簡単な説明】
【０００７】
【図１】本考案の好ましい実施形態に係るスマート無線制御装置を説明するフローチャートである。
【図２】本考案の好ましい実施形態に係るスマート無線制御装置が女性に用いられる概略図である。
【図３】図２に示すオブジェクトの拡大の概略図である。
【図４】本考案の好ましい実施形態に係るスマート無線制御装置が男性に用いられる概略図である。
【図５】図４に示すオブジェクトの拡大の概略図である。
【図６】本考案の好ましい実施形態に係るスマート無線制御装置を説明する他のフローチャートである。
【考案を実施するための形態】
【０００８】
図１〜６を参照しながら、本考案の実施形態をさらに詳しく説明する。本考案はスマート健康測定装置（１）、スマート制御装置（２）及び大人のおもちゃ装置（３）の組み合わせで構成される。スマート健康測定装置（１）は使用者が装着することで使用者の身体及び生理のデータの測定及び収集を行い（例えば、腕時計型等）、スマート制御装置（２）はスマート健康測定装置（１）に内設されるか、無線伝送方式で接続されるスマート処理装置であり（例えば、スマートフォンアプリやパソコンのソフトウェア等が入力される）、必要に応じて前記スマート制御装置（２）によりアプリケーションプログラムの入力及び更新を行い、スマート健康測定装置（１）により測定されて入力された生理データを判読して分析、演算を行って対応する計画的制御を完成させる。また、無線伝送方式で大人のおもちゃ装置（３）に内設されるスマート制御装置により異なるリズム強度の動作を発生させ、または異なる光及び音を発生させることで、パートナーが対応させて行為を行うように促す。
【０００９】
使用者がスマート健康測定装置（１）を装着すると、スマート健康測定装置（１）が使用者の生理及び身体データを不断で測定及び収集し、その後無線伝送方式または直接伝送方式によりスマート制御装置（２）に伝送させる。スマート制御装置（２）は伝送された生理及び身体データを判読して分析、演算を行って対応する計画的制御を完成させ、無線伝送方式で大人のおもちゃ装置（３）に内設されるスマート制御装置に異なるリズム強度の動作を発生させ、使用者を刺激する。同時に、使用者の知覚及び身体の快楽により生理及び身体の状態が変化すると、使用者が装着するスマート健康測定装置（１）が反復して生理及び身体データを測定及び収集させ、スマート制御装置（２）に伝送させて、再度判読して分析、演算を行って後続の対応する計画的制御を調節または停止させることで、大人のおもちゃが生理及び身体の反応に合わせて異なるリズム強度の動作を発生させ、自然で精確に性的オーガズムの発生を補助する。
【００１０】
また、パートナーがスマート健康測定装置（１）を装着すると、同様にスマート健康測定装置（１）が使用者の生理及び身体データを不断で測定及び収集し、その後無線伝送方式または直接伝送方式でスマート制御装置（２）に伝送させる。スマート制御装置（２）は伝送された生理及び身体データを判読して分析、演算を行って対応する計画的制御を完成させ、且つ無線伝送方式或いは直接伝送方式で光及び音等を発生させ、パートナーが対応させて行為を行うように促し、パートナーの興奮を高める。同時に、使用者の知覚及び身体の快楽により生理及び身体の状態が変化すると、使用者が装着するスマート健康測定装置（１）により生理及び身体データを反復して測定及び収集し、スマート制御装置（２）に伝送させ、再度判読して分析、演算を行って後続の対応する計画的制御を調節または制御させる。これにより、パートナーとの間で生理及び身体の反応に合わせて異なるリズム強度の動作を発生させ、パートナーとの間の性的快楽を高め、オーガズム発生率を向上させる。
【００１１】
本考案の装置は市場及び刊行物上では見受けられず、自然で精確に性的オーガズムの発生を助ける効果を有し、明確に機能が向上しており、実用新案の考案や改良要件を十分満たしている。
【００１２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１３】
１  スマート健康測定装置
２  スマート制御装置
３  大人のおもちゃ装置
【図１】
0003211698.tif 000003
【図２】
0003211698.tif 000004
【図３】
0003211698.tif 000005
【図４】
0003211698.tif 000006
【図５】
0003211698.tif 000007
【図６】
0003211698.tif 000008